(57)【要約】      （修正有）【課題】過大な電圧が印加されることを防止する接地抵抗計を提供する。【解決手段】被測定接地抵抗ＥＲに接続するための第一端子２と、基準低抵抗Ｅｒに接続するための第二端子４とを有する接地抵抗計１が、被測定接地抵抗ＥＲを測定する接地抵抗測定部と、第一端子２及び第二端子４の間の電圧を測定する第一電圧測定部と、第一端子２及び第二端子４を、接地抵抗測定部または第一電圧測定部に接続する接続部と、接地抵抗測定部による測定を開始させる指示を受け、接続部を制御する抵抗測定開始部とを備える。測定の開始の指示が行われる前には、第一端子２及び第二端子４が第一電圧測定部に接続されている。測定の開始の指示が行われた後に、第一電圧測定部により測定された電圧が所定値を超えた場合には、第一端子２及び第二端子４が第一電圧測定部に接続されたままとする。【選択図】図１
0003150721.tif 000002
【実用新案登録請求の範囲】
【請求項１】
被測定接地抵抗に接続するための第一端子と、前記被測定接地抵抗とは別の別体接地抵抗に接続するための第二端子とを有する接地抵抗計であって、
前記第一端子および前記第二端子に接続され、前記被測定接地抵抗を測定する接地抵抗測定部と、
前記第一端子および前記第二端子の間の電圧を測定する第一電圧測定部と、
前記第一端子および前記第二端子を、前記接地抵抗測定部または前記第一電圧測定部に接続する接続部と、
前記接地抵抗測定部による測定を開始させる指示を受け、前記接続部を制御する抵抗測定開始部と、
を備え、
前記測定の開始の指示が行われる前には、前記第一端子および前記第二端子が前記第一電圧測定部に接続されており、
前記測定の開始の指示が行われた後に、前記抵抗測定開始部が、
（１）前記第一電圧測定部により測定された電圧が所定値未満である場合には、前記第一端子および前記第二端子を前記接地抵抗測定部に接続させ、
（２）前記第一電圧測定部により測定された電圧が所定値を超えた場合には、前記第一端子および前記第二端子が前記第一電圧測定部に接続されたままとさせる、
接地抵抗計。
【請求項２】
請求項１に記載の接地抵抗計であって、
前記第一端子および前記第二端子に前記接地抵抗測定部が接続された状態で、前記第一端子および前記第二端子の間の電圧を測定する第二電圧測定部と、
前記接地抵抗測定部を、前記第一端子および前記第二端子に接続したままとするか、または切断するかとする切断・接続部と、
前記第二電圧測定部により測定された電圧が所定値を超えた場合に、前記切断・接続部を制御して、前記接地抵抗測定部を前記第一端子および前記第二端子から切断する切断制御部と、
前記切断・接続部による前記切断の後に、前記第一端子および前記第二端子を前記第一電圧測定部に接続させる接続切替部と、
を備えた接地抵抗計。
【請求項３】
請求項２に記載の接地抵抗計であって、
前記切断・接続部は、フォトカプラを有し、
前記フォトカプラのＯＮ／ＯＦＦにより、前記接地抵抗測定部が、前記第一端子および前記第二端子に接続したままとなるか、または切断されるかが決定される、
接地抵抗計。
【考案の詳細な説明】
【技術分野】
【０００１】
本考案は、接地抵抗の測定に関する。
【背景技術】
【０００２】
従来より、接地抵抗を測定する装置（接地抵抗計）が知られている（例えば、特許文献１、２、３を参照）。なお、接地抵抗計には、抵抗を測定する対象である被測定接地抵抗の他に、接地されている基準抵抗をも接続する必要がある。基準抵抗は、例えば、屋内低圧配電のコンセントにおける接地側電極とすることができる。
【先行技術文献】
【特許文献】
【０００３】
【特許文献１】特開２００８−３９４２６号公報
【特許文献２】特開平１１−１１８８５２号公報
【特許文献３】特開平５−８４８７４号公報
【考案の概要】
【考案が解決しようとする課題】
【０００４】
しかしながら、接地抵抗計を、屋内低圧配電のコンセントにおける接地側電極に接続するつもりで、誤ってライン側電極（対地電圧がＡＣ１００Ｖ／２００Ｖの電位を有している電極）に接続してしまうことがありうる。この場合、接地抵抗計にとっては過大である商用電圧が印加され、接地抵抗計に不都合が生じるおそれがある。
【０００５】
そこで、本考案は、接地抵抗計に過大な電圧が印加されることの防止を課題とする。
【課題を解決するための手段】
【０００６】
本考案にかかる接地抵抗計は、被測定接地抵抗に接続するための第一端子と、前記被測定接地抵抗とは別の別体接地抵抗に接続するための第二端子とを有する接地抵抗計であって、前記第一端子および前記第二端子に接続され、前記被測定接地抵抗を測定する接地抵抗測定部と、前記第一端子および前記第二端子の間の電圧を測定する第一電圧測定部と、前記第一端子および前記第二端子を、前記接地抵抗測定部または前記第一電圧測定部に接続する接続部と、前記接地抵抗測定部による測定を開始させる指示を受け、前記接続部を制御する抵抗測定開始部と、を備え、前記測定の開始の指示が行われる前には、前記第一端子および前記第二端子が前記第一電圧測定部に接続されており、前記測定の開始の指示が行われた後に、前記抵抗測定開始部が、（１）前記第一電圧測定部により測定された電圧が所定値未満である場合には、前記第一端子および前記第二端子を前記接地抵抗測定部に接続させ、（２）前記第一電圧測定部により測定された電圧が所定値を超えた場合には、前記第一端子および前記第二端子が前記第一電圧測定部に接続されたままとさせるように構成される。
【０００７】
上記のように構成された接地抵抗計は、被測定接地抵抗に接続するための第一端子と、前記被測定接地抵抗とは別の別体接地抵抗に接続するための第二端子とを有する。
【０００８】
しかも、上記のように構成された接地抵抗計によれば、接地抵抗測定部は、前記第一端子および前記第二端子に接続され、前記被測定接地抵抗を測定する。第一電圧測定部は、前記第一端子および前記第二端子の間の電圧を測定する。接続部は、前記第一端子および前記第二端子を、前記接地抵抗測定部または前記第一電圧測定部に接続する。抵抗測定開始部は、前記接地抵抗測定部による測定を開始させる指示を受け、前記接続部を制御する。
【０００９】
さらに、前記測定の開始の指示が行われる前には、前記第一端子および前記第二端子が前記第一電圧測定部に接続されている。前記測定の開始の指示が行われた後に、前記抵抗測定開始部が、（１）前記第一電圧測定部により測定された電圧が所定値未満である場合には、前記第一端子および前記第二端子を前記接地抵抗測定部に接続させ、（２）前記第一電圧測定部により測定された電圧が所定値を超えた場合には、前記第一端子および前記第二端子が前記第一電圧測定部に接続されたままとさせる。
【００１０】
なお、本考案にかかる接地抵抗計は、前記第一端子および前記第二端子に前記接地抵抗測定部が接続された状態で、前記第一端子および前記第二端子の間の電圧を測定する第二電圧測定部と、前記接地抵抗測定部を、前記第一端子および前記第二端子に接続したままとするか、または切断するかとする切断・接続部と、前記第二電圧測定部により測定された電圧が所定値を超えた場合に、前記切断・接続部を制御して、前記接地抵抗測定部を前記第一端子および前記第二端子から切断する切断制御部と、前記切断・接続部による前記切断の後に、前記第一端子および前記第二端子を前記第一電圧測定部に接続させる接続切替部とを備えるようにしてもよい。
【００１１】
なお、本考案にかかる接地抵抗計は、前記切断・接続部は、フォトカプラを有し、前記フォトカプラのＯＮ／ＯＦＦにより、前記接地抵抗測定部が、前記第一端子および前記第二端子に接続したままとなるか、または切断されるかが決定されるようにしてもよい。
【図面の簡単な説明】
【００１２】
【図１】本考案の実施形態にかかる接地抵抗計１を正しく被測定接地抵抗ERおよび基準低抵抗Er（別体接地抵抗）に接続したときの接続関係を示す図である。
【図２】本考案の実施形態にかかる接地抵抗計１を誤って商用電源Ｌ（例えば、ライン側電極：対地電圧がＡＣ１００Ｖ／２００Ｖの電位を有している電極）に接続したときの接続関係を示す図である。
【図３】本考案の実施形態にかかる接地抵抗計１の構成を示す機能ブロック図である。
【図４】接続部１４の状態を示す図である。
【図５】最初に状態１（図４（ａ）参照）をとる場合の接地抵抗計１の動作を示すフローチャートである。
【図６】最初に状態２（図４（ｂ）参照）をとる場合の接地抵抗計１の動作を示すフローチャートである。
【考案を実施するための形態】
【００１３】
以下、本考案の実施形態を図面を参照しながら説明する。
【００１４】
図１は、本考案の実施形態にかかる接地抵抗計１を正しく被測定接地抵抗ERおよび基準低抵抗Er（別体接地抵抗）に接続したときの接続関係を示す図である。
【００１５】
接地抵抗計１は、第一端子２および第二端子４を備える。
【００１６】
第一端子２を、被測定接地抵抗ERに接続する。被測定接地抵抗ERは、例えば、低圧電気機器（例えば、低圧モーター、分電盤、空調機器）、水を用いる家電製品（クーラー、電気洗濯機、冷凍・冷蔵庫等）、ＯＡ事務機器（パソコン、コピーＦＡＸ機、サーバー、電子レジスタ等）、ＦＡ電気制御機器（プログラムコントローラー、インバータ、電子計量器等））の接地端子を接続する既存建物の設置された接地電極、その接地用に埋め込まれた接地電極または３Ｐコンセントの接地極である。
【００１７】
第二端子４を、基準低抵抗Er（別体接地抵抗）に接続する。基準低抵抗Erは、被測定接地抵抗ERとは別の接地抵抗である。基準低抵抗Erは、例えば、屋内低圧配電のコンセントにおける接地側電極である。また、基準低抵抗Erは、例えば、商用電源のＢ種接地でもよいし、屋内低圧配電のコンセントのある接地側電極でもよいし、コンセントに併設された別置Ｂ種接地端子でもよいし、３Ｐコンセントの接地極でもよいし、建屋の鉄筋・鉄骨でもよいし、金属水道管でもよい。
【００１８】
なお、第二端子４は、アース側線Eを介して基準低抵抗Erに接続されている。また、アース側線Eは柱状トランスTrを介してライン側線（商用電源）Lに接続されている。なお、第一端子２から第二端子４に向けて電流iが流れる。
【００１９】
なお、図１に示す接地抵抗計１の接続関係は、簡易接地抵抗測定（２極法）においては周知のことなので、詳細な説明は省略する。
【００２０】
図２は、本考案の実施形態にかかる接地抵抗計１を誤って商用電源Ｌ（例えば、ライン側電極：対地電圧がＡＣ１００Ｖ／２００Ｖの電位を有している電極）に接続したときの接続関係を示す図である。
【００２１】
第二端子４に、アース側線Eを介して、商用電源Ｌが接続されている。このようなことは、接地抵抗計１の第二端子４を、屋内低圧配電のコンセントにおける接地側電極に接続するつもりで、誤ってライン側電極（対地電圧がＡＣ１００Ｖ／２００Ｖの電位を有している電極）に接続してしまったときに起こり得る。なお、他の部分の接続関係は図１と同様であり、説明を省略する。
【００２２】
図２に示すような誤った接続を行うと、接地抵抗計にとっては過大である商用電圧が印加されることとなり、不都合である。
【００２３】
図３は、本考案の実施形態にかかる接地抵抗計１の構成を示す機能ブロック図である。接地抵抗計１は、第一端子２、第二端子４、接地抵抗測定部１０、第一電圧測定部１２、接続部１４、抵抗測定開始部１６、第二電圧測定部１８、切断制御部２０、接続切替部２２、切断・接続部２４を備える。
【００２４】
第一端子２は、被測定接地抵抗ERに接続するための端子である。第二端子４は、基準低抵抗Er（別体接地抵抗）に接続するための端子である。
【００２５】
接地抵抗測定部１０は、第一端子２および第二端子４に接続され、被測定接地抵抗ERを測定する。第一電圧測定部１２は、第一端子２および第二端子４の間の電圧を測定する。
【００２６】
接続部１４は、第一端子２および第二端子４を、接地抵抗測定部１０または第一電圧測定部１２に接続する。接続部１４は、例えば、スイッチである。
【００２７】
図４は、接続部１４の状態を示す図である。接続部１４は、図４（ａ）を参照して、第一端子２および第二端子４を、第一電圧測定部１２に接続する。この状態を「状態１」という。または、接続部１４は、図４（ｂ）を参照して、第一端子２および第二端子４を、接地抵抗測定部１０に接続する。この状態を「状態２」という。
【００２８】
抵抗測定開始部１６は、接地抵抗測定部１０による測定を開始させる指示を受け、接続部１４を制御する。なお、測定を開始させる指示とは、例えば、接地抵抗計１のユーザによる操作（例えば、スイッチを押す）である。
【００２９】
なお、測定の開始の指示が行われる前には、第一端子２および第二端子４が、接続部１４によって第一電圧測定部１２に接続されている。
【００３０】
しかも、測定の開始の指示が行われた後に、抵抗測定開始部１６が、以下のように、接続部１４を制御する。
【００３１】
（１）第一電圧測定部１０により測定された電圧が所定値（例えば、ＡＣ（交流）１５Ｖ）未満である場合には、第一端子２および第二端子４を接地抵抗測定部１０に接続させる。
【００３２】
（２）第一電圧測定部１０により測定された電圧が所定値（例えば、ＡＣ（交流）１５Ｖ）を超えた場合には、第一端子２および第二端子４が第一電圧測定部１２に接続されたままとさせる。
【００３３】
なお、第一電圧測定部１０により測定された電圧が所定値（例えば、ＡＣ（交流）１５Ｖ）に等しい場合は、（１）または（２）のどちらでもよいが、例えば、（２）にしてもよい。
【００３４】
第二電圧測定部１８は、第一端子２および第二端子４に接地抵抗測定部１０が接続された状態で、第一端子２および第二端子４の間の電圧を測定する。
【００３５】
切断・接続部２４は、状態２（図４（ｂ）参照）の場合に、第一端子２および第二端子４に接続したままとするか、または切断するかとする。切断・接続部２４は、フォトカプラ２４ａ、２４ｂを有する。フォトカプラ２４ａ、２４ｂは、第一電圧測定部１０と接続部１４との間に配置されている。
【００３６】
フォトカプラ２４ａ、２４ｂのＯＮ／ＯＦＦにより、接地抵抗測定部１０が、第一端子２および第二端子４に接続したままとなるか、または切断されるかが決定される。例えば、フォトカプラ２４ａ、２４ｂが共にＯＮの場合には、接地抵抗測定部１０が、第一端子２および第二端子４に接続したままとなる。フォトカプラ２４ａ、２４ｂが共にＯＦＦの場合には、接地抵抗測定部１０が、第一端子２および第二端子４から切断される。
【００３７】
切断制御部２０は、第二電圧測定部１８により測定された電圧が所定値（例えば、ＡＣ（交流）１５Ｖ）を超えた場合に、切断・接続部２４を制御して（例えば、フォトカプラ２４ａ、２４ｂを共にＯＦＦにする）、接地抵抗測定部１０を第一端子２および第二端子４から切断する。なお、切断制御部２０は、切断・接続部２４による切断の後に、接続切替部２２を作動させる。
【００３８】
接続切替部２２は、切断・接続部２４による切断の後に、接続部１４を制御して、第一端子２および第二端子４を第一電圧測定部１２に接続させる。
【００３９】
次に、本発明の実施形態の動作を説明する。
【００４０】
図５は、最初に状態１（図４（ａ）参照）をとる場合の接地抵抗計１の動作を示すフローチャートである。ただし、フォトカプラ２４ａ、２４ｂは共にＯＮである。
【００４１】
まず、接地抵抗計１は状態１（図４（ａ）参照）をとる（Ｓ１０）。この場合、第一電圧測定部１２が、第一端子２および第二端子４の間の電圧を測定する。
【００４２】
ここで、ユーザによる操作（例えば、スイッチを押す）が行われる（Ｓ１２）。
【００４３】
すると、第一電圧測定部１２により測定された電圧が所定値（例えば、ＡＣ（交流）１５Ｖ）未満である場合（Ｓ１４、Ｙｅｓ）は、抵抗測定開始部１６が、接続部１４を制御して、第一端子２および第二端子４を接地抵抗測定部１０に接続させる（状態２：図４（ｂ）参照）（Ｓ１６）。これは、図１に示す正しい接続関係に対応したものである。
【００４４】
また、第一電圧測定部１２により測定された電圧が所定値（例えば、ＡＣ（交流）１５Ｖ）未満ではない場合（Ｓ１４、Ｎｏ）は、抵抗測定開始部１６が、接続部１４を制御して、第一端子２および第二端子４が第一電圧測定部１２に接続されたままとさせる（状態１：図４（ａ）参照）（Ｓ１８）。これは、図２に示す誤った接続関係に対応したものである。
【００４５】
このような動作により、接地抵抗計１の接続関係が、図２に示すような誤った状態で、ユーザによる操作（接地抵抗測定部１０による接地抵抗の測定開始の指示）があっても、第一端子２および第二端子４が第一電圧測定部１２に接続されたままとなるので、接地抵抗計１に過大な電圧が印加されることを防止できる。
【００４６】
もちろん、接地抵抗計１の接続関係が、図１に示すような正しい状態で、ユーザによる操作（接地抵抗測定部１０による接地抵抗の測定開始の指示）があれば、第一端子２および第二端子４が接地抵抗測定部１０に接続されるので、接地抵抗計１による接地抵抗の測定を行うことができる。
【００４７】
図６は、最初に状態２（図４（ｂ）参照）をとる場合の接地抵抗計１の動作を示すフローチャートである。
【００４８】
まず、接地抵抗計１は状態２（図４（ｂ）参照）をとる（Ｓ２０）。この場合、接地抵抗測定部１０が、被測定接地抵抗ERを測定する。例えば、図５に示すＳ１６（接地抵抗の測定）に相当する。
【００４９】
次に、第二電圧測定部１８が、状態２（図４（ｂ）参照）のままで、第一端子２および第二端子４の間の電圧を測定する（Ｓ２２）。
【００５０】
ここで、第二電圧測定部１８により測定された電圧が所定値（例えば、ＡＣ（交流）１５Ｖ）未満の場合（Ｓ２４、Ｙｅｓ）、接地抵抗の測定（Ｓ２０）に戻る。
【００５１】
第二電圧測定部１８により測定された電圧が所定値（例えば、ＡＣ（交流）１５Ｖ）未満ではない場合（Ｓ２４、Ｎｏ）、その旨を示す信号を切断制御部２０および接続切替部２２に送る。
【００５２】
切断制御部２０は、この信号を受け、切断・接続部２４のフォトカプラ２４ａ、２４ｂを共にＯＦＦにして、接地抵抗測定部１０を第一端子２および第二端子４から切断する（Ｓ２６）。
【００５３】
その後、接続切替部２２が、接続部１４を制御して、第一端子２および第二端子４を第一電圧測定部１２に接続させる（Ｓ２８）。これが、状態２（図４（ｂ）参照）から状態１（図４（ａ）参照）への切替に相当する。
【００５４】
このような動作により、地抵抗測定部１０による接地抵抗の測定中に、図２に示すような誤った接続関係となっても、切断制御部２０により、接地抵抗測定部１０を第一端子２および第二端子４から切断するので、接地抵抗計１に過大な電圧が印加されることを防止できる。
【００５５】
しかも、接続部１４による状態２から状態１への切替にかかる時間よりも、フォトカプラ２４ａ、２４ｂを共にＯＦＦする時間の方が短くてすむので（例えば、数[msec]）、接地抵抗計１に過大な電圧が印加することを、接続部１４による切替のみの場合に比べて、より速やかに防止できる。
【００５６】
もちろん、接地抵抗計１の接続関係が、図１に示すような正しい状態であれば、第一端子２および第二端子４が接地抵抗測定部１０に接続されるので、接地抵抗計１による接地抵抗の測定を行うことができる。
【符号の説明】
【００５７】
ER  被測定接地抵抗
Er  基準低抵抗（別体接地抵抗）
１  接地抵抗計
２  第一端子
４  第二端子
１０  接地抵抗測定部
１２  第一電圧測定部
１４  接続部
１６  抵抗測定開始部
１８  第二電圧測定部
２０  切断制御部
２２  接続切替部
２４  切断・接続部
２４ａ、２４ｂ  フォトカプラ
【図１】
0003150721.tif 000003
【図２】
0003150721.tif 000004
【図３】
0003150721.tif 000005
【図４】
0003150721.tif 000006
【図５】
0003150721.tif 000007
【図６】
0003150721.tif 000008